(57)【要約】【課題】本発明は、回転する磁気ディスク上に磁気ヘッドを位置決めして磁気ディスクをアクセスする磁気ディスク装置に関し、部材の熱膨張による振動の発生を防止し、アクセスエラーを低減する。【解決手段】磁気回路を構成する磁性体部材３２と、磁性体部材３２を覆うカバー部材３１と、磁性体部材３２とカバー部材３１との間に介在する緩衝部材３３とを備え磁性体部材３２とカバー部材３１を、緩衝部材３３を介在させてネジ止めした。【選択図】        図３
2007012232.tif 000002
【特許請求の範囲】
【請求項１】
磁気ディスクと、該磁気ディスクを回転させるスピンドルモータと、該磁気ディスクをアクセスする磁気ヘッドを先端に備えたキャリッジアームと、該キャリッジアーム先端の磁気ヘッドが前記磁気ディスク上を半径方向に移動するように該キャリッジアームを回動させるボイスコイルモータとを備え、回転する磁気ディスク上に前記磁気ヘッドを位置決めして該磁気ディスクをアクセスする磁気ディスク装置において、
前記ボイスコイルモータが、
磁気回路を構成する磁性体部材と、
前記磁性体部材を覆うカバー部材と、
前記磁性体部材と前記カバー部材との間に介在する緩衝部材とを備えたことを特徴とする磁気ディスク装置。
【請求項２】
前記磁性体部材と前記カバー部材は、前記緩衝部材を介在させて相互にネジ止めされていることを特徴とする請求項１記載の磁気ディスク装置。
【請求項３】
前記緩衝部材は、樹脂製の部材であることを特徴とする請求項１記載の磁気ディスク装置。
【請求項４】
前記磁性体部材は、鉄製の部材であることを特徴とする請求項１記載の磁気ディスク装置。
【請求項５】
前記カバー部材は、真鍮製の部材であることを特徴とする請求項１記載の磁気ディスク装置。
【請求項６】
前記カバー部材は、アルミニウム合金製の部材であることを特徴とする請求項１記載の磁気ディスク装置。
【発明の詳細な説明】
【技術分野】
【０００１】
本発明は、回転する磁気ディスク上に磁気ヘッドを位置決めして磁気ディスクをアクセスする磁気ディスク装置に関する。
【背景技術】
【０００２】
コンピュータの記憶装置として磁気ディスク装置が広く用いられている。この磁気ディスク装置に採用される磁気ディスクも高密度記録化が進んできており、磁気ディスクを正確にアクセスするために、磁気ヘッドの位置決め精度の益々の向上が求められている。
【０００３】
ここで、この磁気ディスク装置において、磁気ディスクをアクセスするために磁気ディスクの回転を開始しアクセスを開始すると、その後、この磁気ディスク装置内部の温度が徐々に上昇するが、その温度上昇過程で、素材の違う部品どうしを固定した箇所に、熱膨張係数の違いなどから変位差が生じる。しかし、この締結部には摩擦があるためスムーズには変位せず、摩擦力と変位との均衡がくずれたところで振動を伴って変位し、この振動がキャリッジアーム先端の磁気ヘッドに伝わり、磁気ヘッドが正規の位置からずれてしまいアクセスエラーになることがある。
【０００４】
特許文献１には、ボイスコイルモータを構成するマグネット部材をキャリッジブロックに固定し、摩擦力を小さくするためのプレートを挿入する構成が開示されている。しかしこの特許文献１には、上記の振動の発生を抑える点については開示されていない。
【特許文献１】特開昭６４−７３５７２号公報
【発明の開示】
【発明が解決しようとする課題】
【０００５】
本発明は、上記事情に鑑み、上記の振動の発生を抑えることにより磁気ディスクのアクセスエラーを低減させる構造を備えた磁気ディスク装置を提供することを目的とする。
【課題を解決するための手段】
【０００６】
上記目的を達成する本発明の磁気ディスク装置は、磁気ディスクと、磁気ディスクを回転させるスピンドルモータと、磁気ディスクをアクセスする磁気ヘッドを先端に備えたキャリッジアームと、キャリッジアーム先端の磁気ヘッドが磁気ディスク上を半径方向に移動するようにキャリッジアームを回動させるボイスコイルモータとを備え、回転する磁気ディスク上に磁気ヘッドを位置決めして磁気ディスクをアクセスする磁気ディスク装置において、
上記ボイスコイルモータが、
磁気回路を構成する磁性体部材と、
その磁性体部材を覆うカバー部材と、
磁性体部材とカバー部材との間に介在する緩衝部材とを備えたことを特徴とする。
【０００７】
ここで、上記磁性体部材とカバー部材は、緩衝部材を介在させて相互にネジ止めされていてもよい。
【０００８】
また、上記緩衝部材は、樹脂製の部材であることが好ましく、上記磁性体部材は、一例として鉄製の部材であってもよい。また、上記カバー部材は、一例として真鍮製の部材であってもよく、あるいはアルミニウム合金製の部材であってもよい。
【発明の効果】
【０００９】
本発明の磁気ディスク装置によれば、磁性体部材とカバー部材との間に緩衝部材を備えたため、熱膨張による変位がスムーズとなり、急激な変位による振動が避けられ、磁気ディスクのアクセスエラーが低減する。
【発明を実施するための最良の形態】
【００１０】
以下、本発明の実施形態について説明する。
【００１１】
図１は、本発明の一実施形態としての磁気ディスク装置の、上カバーを取り外したときの平面図、図２は、その磁気ディスク装置の断面図である。
【００１２】
この磁気ディスク装置１１には、ディスクコントロールモータ（ＤＣＭ）２６（図２参照）によって、回転軸１２を中心に回転駆動される磁気ディスク１３が備えられている。また、この磁気ディスク装置１１には、磁気ディスク１３に対向する磁気ヘッド１４を先端に備え回動軸１５を中心に回動するキャリッジアーム１６、およびそのキャリッジアーム１６を回動駆動して磁気ヘッド１４を磁気ディスク１３の半径方向に移動させるボイスコイルモータ（ＶＣＭ）１７が装備されている。磁気ディスク１３へのデータの書き込み、あるいは磁気ディスク１３に記憶されたデータの読み出しにあたっては、ＤＣＭによって磁気ディスク１３が回転駆動されている状態においてＶＣＭ１７によってキャリッジアーム１６が回動駆動され、そのキャリッジアーム１６の先端の磁気ヘッド１４が磁気ディスク１３の所望のトラックに位置決めされて、磁気ヘッド１４によって、磁気ディスク１３上の所望のトラックに、その磁気ディスク１４の回転に伴って順次に磁気的にデータが書き込まれ、あるいは順次に磁気的にデータがピックアップされる。
【００１３】
また、図２には、ボイスコイルモータ１７の磁気回路を構成する一部品である鉄製の磁性体部材３２と、その磁性体部材３２を覆う、真鍮製のカバー部材３１が示されており、さらに、この磁気ディスク装置１１の動作を制御する制御回路ブロック２３が示されている。
【００１４】
尚、このカバー部材は、アルミニウム合金製のものであってもよい。
【００１５】
図３は、ボイスコイルモータを構成する磁性体部材とカバー部材を示す分解斜視図である。
【００１６】
磁性体部材３２は、鉄製の部材であって、ボイスコイルモータ１７（図２参照）の磁気回路を構成している。この磁性体部材３２にはカバー部材３１の取付け用の雌ネジが形成されたネジ穴３２１が設けられている。
【００１７】
一方、カバー部材３１は、真鍮製の部材であって、質量が大きく、このボイスコイルモータの防振に寄与している部材である。このカバー部材３１には、磁性体部材３２のネジ穴３２１に対応する位置に、ネジ３４（図１参照）を挿通させるネジ止め用バカ穴３１１が設けられている。カバー部材３１のネジ止め用バカ穴３１１にネジ３４が挿通され、カバー部材３１と磁性体部材３２との間に緩衝部材３３を介在させるべく、ネジ３４がその緩衝部材３３の中央の孔に挿通されて、緩衝用部材３２のネジ穴３２１に締結される。この緩衝部材３３は、潤滑性の良い、例えばテフロン（登録商標）やポリイミド等の樹脂材料からなるものである。この磁気ディスク装置が動作を開始すると、カバー部材３１や磁性体部材３２には熱膨張による変位が生じるとそれらの間に緩衝部材３３が介在していることからその変位がスムーズに生じ、急激な変位による振動の発生が抑えられ、このため、磁気ヘッドが不用意に振動してアクセスエラーが生じることが防止され、オントラック性能が向上する。
【図面の簡単な説明】
【００１８】
【図１】本発明の一実施形態としての磁気ディスク装置の、上カバーを取り外したときの平面図である。
【図２】図１に示す磁気ディスク装置の断面図である。
【図３】ボイスコイルモータを構成する磁性体部材とカバー部材を示す分解斜視図である。
【符号の説明】
【００１９】
１１    磁気ディスク装置
１２    回転軸
１３    磁気ディスク
１４    磁気ヘッド
１５    回動軸
１６    キャリッジアーム
１７    ボイスコイルモータ（ＶＣＭ）
２３    制御回路ブロック
２６    ディスクコントロールモータ（ＤＣＭ）
３１    カバー部材
３２    磁性体部材
３４    ネジ
【図１】
2007012232.tif 000003
【図２】
2007012232.tif 000004
【図３】
2007012232.tif 000005